(57)【特許請求の範囲】
【請求項１】
石鹸液を貯溜する密閉の石鹸液タンクと、該石鹸液タンクより上方の石鹸液の補給部とを補給管で連絡し、該補給管を通じて該石鹸液タンク内に該石鹸液を補給するようになすとともに、該補給の際に該石鹸液タンク内のエア抜きを行うエア抜管を該石鹸液タンクにおける該石鹸液の設定満水位より上方から上向きに延び出させて成る石鹸液の補給装置において
前記補給管を前記石鹸液タンク内部まで挿入して、下端部の下部流出孔から前記石鹸液を該石鹸液タンク内に流出させるようになすとともに、該補給管の該石鹸液タンクの内部且つ該下部流出孔より上部に上部流出孔を設けて、該上部流出孔からも該石鹸液を該石鹸液タンク内に流出させるようになしてあることを特徴とする石鹸液の補給装置。
【請求項２】
請求項１において、前記上部流出孔から流出した石鹸液を前記補給管の外周面又は前記石鹸液タンクの内壁を伝って流下させるようになしてあることを特徴とする石鹸液の補給装置。
【請求項３】
請求項１，２の何れかにおいて、前記上部流出孔が前記石鹸液タンク内の石鹸液の前記設定満水位の位置に設けてあることを特徴とする石鹸液の補給装置。
【請求項４】
請求項１〜３の何れかにおいて、前記補給管の下端面の開口が前記下部流出孔となしてあるとともに、該補給管は下端部が前記石鹸液タンクの底面に接し且つ該底面に沿って横向きとなるように設けてあり、該石鹸液を該石鹸液タンクの底面に沿って横向きに流出するものとなしてあることを特徴とする石鹸液の補給装置。
【請求項５】
請求項１〜４の何れかにおいて、前記補給管の途中部位に、内部の補給路を部分的に狭小化する絞り部が設けてあることを特徴とする石鹸液の補給装置。
【発明の詳細な説明】
【技術分野】
【０００１】
この発明は石鹸液タンクへの石鹸液の補給装置に関する。
【背景技術】
【０００２】
従来、石鹸液を貯溜する密閉の石鹸液タンクと石鹸液タンクより上方の石鹸液の補給部とを石鹸液の補給管で連絡し、補給管を通じて石鹸液タンク内に石鹸液を補給するようになすとともに、補給の際に石鹸液タンク内のエア抜きを行うエア抜管を、石鹸液タンクにおける石鹸液の設定満水位より上方から上向きに延び出させて成る石鹸液の補給装置が公知である。
例えば下記特許文献１にこの種の石鹸液の補給装置が開示されている。
【０００３】
ところでこの種の石鹸液の補給装置の場合、上方の補給部から補給管を通じて石鹸液タンク内部に石鹸液の補給を行う際に、補給をスムーズ且つ迅速に行うことができず、補給作業に時間がかかってしまう問題があった。
またその他に石鹸液の補給を行う際に、石鹸液タンク内に流入した石鹸液が空気を巻き込んで泡を立ててしまう問題があった。
而して石鹸液タンク内に多量の泡が生成すると、その泡がエア抜管に入り込んでエアの抜け道を塞いでしまう。
このような状態になると石鹸液タンクへの石鹸液の流入に対する抵抗が大きくなって、石鹸液の補給速度が更に遅くなってしまい、石鹸液補給のための所要時間を更に長くしてしまう。
【０００４】
そこで従来にあっては、タンク容量を実際に必要な石鹸液タンクの貯溜量よりも大幅に大きくして、この問題の解決を図っていた。
これはタンク容量を大きくすると、石鹸液タンク内で泡が生成しても、その泡による石鹸液流入に対する抵抗が少なくなることによる。
しかしながら容量の大きな石鹸液タンクを用いれば、石鹸液の吐出装置の占めるスペース、詳しくは石鹸液タンクの占めるスペースが大となってしまい、例えばこれを手洗器や自動手洗乾燥装置などに備えた場合に、装置全体を大型化してしまったり、他の機構部品設置のためのスペースが制限されてしまうといった問題を生ずる。
【０００５】
【特許文献１】実用新案登録第２５２６９６５号公報
【発明の開示】
【発明が解決しようとする課題】
【０００６】
本発明は以上のような事情を背景とし、石鹸液の補給を迅速になし得て、補給作業のために要する時間を短くすることのできる石鹸液の補給装置を提供することを目的としてなされたものである。
また本発明の他の目的は、石鹸液の補給に際して石鹸液タンク内での泡の生成を抑制し、これにより過剰に大きな石鹸液タンクを用いなくても石鹸液の補給を迅速になし得て、石鹸液タンクの占めるスペースを狭小化できる石鹸液の補給装置を提供することにある。
【課題を解決するための手段】
【０００７】
而して請求項１のものは、石鹸液を貯溜する密閉の石鹸液タンクと、該石鹸液タンクより上方の石鹸液の補給部とを補給管で連絡し、該補給管を通じて該石鹸液タンク内に該石鹸液を補給するようになすとともに、該補給の際に該石鹸液タンク内のエア抜きを行うエア抜管を該石鹸液タンクにおける該石鹸液の設定満水位より上方から上向きに延び出させて成る石鹸液の補給装置において、前記補給管を前記石鹸液タンク内部まで挿入して、下端部の下部流出孔から前記石鹸液を該石鹸液タンク内に流出させるようになすとともに、該補給管の該石鹸液タンクの内部且つ該下部流出孔より上部に上部流出孔を設けて、該上部流出孔からも該石鹸液を該石鹸液タンク内に流出させるようになしてあることを特徴とする。
【０００８】
請求項２のものは、請求項１において、前記上部流出孔から流出した石鹸液を前記補給管の外周面又は前記石鹸液タンクの内壁を伝って流下させるようになしてあることを特徴とする。
【０００９】
請求項３のものは、請求項１，２の何れかにおいて、前記上部流出孔が前記石鹸液タンク内の石鹸液の前記設定満水位の位置に設けてあることを特徴とする。
【００１０】
請求項４のものは、請求項１〜３の何れかにおいて、前記補給管の下端面の開口が前記下部流出孔となしてあるとともに、該補給管は下端部が前記石鹸液タンクの底面に接し且つ該底面に沿って横向きとなるように設けてあり、該石鹸液を該石鹸液タンクの底面に沿って横向きに流出するものとなしてあることを特徴とする。
【００１１】
請求項５のものは、請求項１〜４の何れかにおいて、前記補給管の途中部位に、内部の補給路を部分的に狭小化する絞り部が設けてあることを特徴とする。
【発明の作用・効果】
【００１２】
以上のように本発明は、石鹸液の補給管を石鹸液タンク内部まで挿入して、下端部の下部流出孔から石鹸液を石鹸液タンク内に流出させるようになすとともに、加えてその下部流出孔より上部に上部流出孔を設け、その上部流出孔からも石鹸液を石鹸液タンク内に流出させるようになしたものである。
【００１３】
ここで上部流出孔は次のような意味を有する。
本発明において、下部流出孔から石鹸液が流入して石鹸液タンク内に石鹸液が補給され、これにより石鹸液タンク内の石鹸液の水位が上昇して、下部流出孔が石鹸液タンク内部に浸漬した状態になると、石鹸液タンク内部に溜まった石鹸液自体が抵抗となって下部流出孔からの石鹸液の流出速度が遅くなる。
また石鹸液の流出に対する抵抗は石鹸液の水位が上昇するほど大きくなる。
本発明では、その抵抗が大きくなると補給管内部の補給路を通じて下向きに流下する石鹸液が、補給管の上部に設けた上部流出孔から外部に流出して石鹸液タンク内部に補給されるようになる。その補給量（流出量）は水位が上昇するほど多くなる。
このため本発明によれば、下部流出孔からだけ石鹸液を石鹸液タンク内に補給する場合に比べて石鹸液の補給速度を速めることができ、石鹸液の補給作業に要する時間を短縮化することができる。
【００１４】
この場合において、上部流出孔から流出した石鹸液を補給管の外周面を伝って流下させることができる。或いはまた石鹸液タンクの内壁を伝って流下させるようになすことができる（請求項２）。
この場合上部流出孔から流出した石鹸液は、石鹸液タンク内部に溜まった石鹸液中に静かに流入する。
従ってその際に泡を立てることが少なく、石鹸液タンク内に生成する泡の量を抑制することができる。
【００１５】
而して泡の生成量を抑制できれば、石鹸液補給の比較的早い段階から、石鹸液タンク内で生成した泡がエア抜管内部に入り込んでエアの抜け道を塞いでしまうことを防止でき、従ってエア抜管内部に入り込んだ泡によって、即ち泡の抜け道が詰まることによって、石鹸液タンクの補給速度が低下するのを防止でき、石鹸液タンクの補給速度を速めることができる。
また泡の生成による石鹸液の補給速度の低下の問題を回避するために、石鹸液タンクを過剰に大容量化する必要も無く、石鹸液タンクを小型且つコンパクト化することができる。
【００１６】
本発明ではまた、石鹸液タンク内での泡の生成を効果的に抑制できることから、エア抜管の上端から泡が噴き出したことをもって、石鹸液タンク内が満水状態となったことを使用者に知らせることができる。
本発明では、石鹸液タンク内での泡の生成が少ないことから、石鹸液の補給の途中段階ではエア抜管の上端から泡を噴き出させず、石鹸液タンク内が満水状態となったところで初めてエア抜管の上端から泡を噴き出させるようになすことができる。
ここで上部流出孔から流出した石鹸液を補給管の外周面を伝わせるか又は石鹸液タンクの内壁を伝わせるかは、上部流出孔の高さ或いは向き等を適宜定め或いは変更することによって行うことができる。
【００１７】
本発明では、その上部流出孔を石鹸液タンク内の石鹸液の設定満水位の位置に設けておくことができる（請求項３）。
この場合、石鹸液タンク内部に溜まった石鹸液の水位が、上部流出孔に至ると、そこで石鹸液の補給速度が急激に遅くなる。
従って使用者はこのことをもって、石鹸液タンク内が満水状態となったことを容易に知ることができる。
【００１８】
本発明ではまた、補給管の下端部を石鹸液タンクの底面に接し且つ底面に沿って横向きとなるように設けておき、そして補給管の下端面を下部流出孔として、そこから石鹸液を石鹸液タンクの底面に沿って横向きに流出させるようになしておくことができる（請求項４）。
このようにしておけば、石鹸液の補給の際にこれを補給管から石鹸液タンク内部に静かに流入させることができ、その際の泡立ちを良好に抑制することができる。
【００１９】
次に請求項５は、補給管の途中部位に内部の補給路を部分的に狭小化する絞り部を設けたものである。
石鹸液が補給管から石鹸液タンク内に入り込んだときに泡を立てる主たる原因は、補給管内を石鹸液が充満した状態で石鹸液タンク内に流入せず、石鹸液が補給管の内面を伝って空気と共に石鹸液タンク内に入り込むことにある。
【００２０】
そこでこの請求項５では補給管の途中部位に絞り部を設けたもので、このようになした場合、その絞り部の絞り作用により同部分において、更にはそれより下側の部分において石鹸液が補給管内に充満した状態となり、その状態で石鹸液が流下して石鹸液タンク内に流入するようになる。
即ち絞り部で石鹸液と空気とを気液分離することができる。
これにより補給管の下端部から石鹸液が空気とともに石鹸液タンク内部に入り込んでそこで泡を発生させる問題を抑制することができる。
【発明を実施するための最良の形態】
【００２１】
次に本発明を自動手洗乾燥装置における石鹸液の補給装置に適用した場合の実施形態を図面に基づいて詳しく説明する。
図１において、１０は自動手洗乾燥装置（ここでは壁掛式）で、陶器製の手洗器１２と、その下部のキャビネット１４及び手洗器１２に装着された機能部ユニット１６とを有している。
機能部ユニット１６はケース１８を有しており、各種機能部がそこに内蔵されている。
ここでケース１８は、下部のケース本体１８Ａとその上端の開口を閉鎖する蓋体１８Ｂとを有している。
【００２２】
手洗器１２の後部には、後端縁に沿って立上る後壁部２４（図３参照）と、左右一対の側壁部２６（図１参照）とで囲まれた収容凹部２８が形成されており、図３にも示しているようにその収容凹部２８に上記の機能部ユニット１６が収容されている。
機能部ユニット１６は、その後面と側面とがそれぞれ後壁部２４と左右一対の側壁部２６とで囲われており、その前面が手洗器１２のボウル部３２に向けて開放されている。
ここで収容凹部２８の底面は、機能部ユニット１６を支持する平坦な支持面３０とされている。
尚、図１及び図２において３４はボウル部３２に設けられた排水口である。
【００２３】
図１に示しているように、自動手洗乾燥装置１０は温風吹出口３６，手洗水の吐水口３８及び石鹸液の吐出口４０を備えており、それらが機能部ユニット１６におけるケース１８の前面に備えられている。
このケース１８の前面にはまた、それぞれに対応して人体検知センサ４２，４４，４６が設けられている。
【００２４】
この自動手洗乾燥装置１０では、石鹸液の吐出口４０の前方に手を差し出すと、人体検知センサ４６がこれを検知して吐出口４０から自動的にムース状の石鹸液（水石鹸）を吐出する。
また吐水口３８の前方に手を差し出すと、人体検知センサ４４がこれを検知して吐水口３８から自動的に温水を吐水する。
更に温風吹出口３６の前方に手を差し出すと、人体検知センサ４２がこれを検知して温風吹出口３６から自動的に温風を吹き出す。
【００２５】
図１に示しているように、キャビネット１４の内部には排水管５０が設けられており、その上端がボウル部３２の排水口３４に接続されている。
ボウル部３２からの排水は、この排水管５０のトラップ部５２を経て外部に排出される。
【００２６】
キャビネット１４の内部にはまた、湯水の混合部５４と、温水の供給遮断を行う電磁弁５６とが設けられており、その混合部５４に対し冷水及び湯をそれぞれ供給する配管が接続されている。
混合部５４に供給された冷水と湯とはここで所定比率に混合されて適温の混合水とされ、電磁弁５６の開弁により給水管５８を通じて吐水口３８へと送られ、そこからボウル部３２に向けて吐水される。
【００２７】
一方キャビネット１４の内部且つ下部には石鹸液タンク６０が設けられており、そこに所定量の石鹸液が貯溜されるようになっている。
この石鹸液タンク６０からは給液管６２が延び出しており、その給液管６２上に石鹸液ポンプ６４が設けられている。
石鹸液タンク６０内の石鹸液は、この石鹸液ポンプ６４により給液管６２を通じて上記の石鹸液の吐出口４０へと送られる。
【００２８】
７０はエアポンプで、このエアポンプ７０によりエアが給気管６８を通じて上記石鹸液の吐出口４０に向けて送られる。
本実施形態では、石鹸液タンク６０から石鹸液ポンプ６４にて供給されてきた石鹸液と、エアポンプ７０にて供給されてきたエアとが互いに混合せしめられてムース状化され、吐出口４０から手洗器１２のボウル部３２に向けて吐出される。
【００２９】
キャビネット１４の内部且つ下部にはまた、上記温風吹出口３６を含む温風吹出装置の乾燥機本体７２が設けられており、この乾燥機本体７２と上記の温風吹出口３６とが、送風管７４で連絡されている。
乾燥機本体７２には送風機及び空気加熱用のヒータ（電気ヒータ）が内蔵されており、吸気口７５を通じて吸入された空気がヒータにより暖められ、送風機により送風管７４を通じて温風吹出口３６へと送り出される。
【００３０】
本実施形態では石鹸液タンク６０，石鹸液ポンプ６４，エアポンプ７０，給液管６２，給気管６８，石鹸液の吐出口４０，人体検知センサ４６等にて石鹸液の吐出装置が構成されている。
また混合部５４，電磁弁５６，吐水口３８，人体検知センサ４４等にて手洗水の吐水装置が構成されている。
更に乾燥機本体７２，送風管７４，温風吹出口３６，人体検知センサ４２等にて温風吹出装置が構成されている。
【００３１】
図３において、１００は自動手洗乾燥装置１０における石鹸液の補給装置で、石鹸液タンク６０の上方に設けられた補給部１０２と、これら補給部１０２及び石鹸液タンク６０を上下に連絡する補給管６６，エア抜管１３６を有している。
補給部１０２は、機能部ユニット１６におけるケース１８の前面壁２０に設けられた補給口２２を有している。この補給口２２はボウル部３２の上側において、ボウル部３２に臨んで配置されている。
【００３２】
８８は補給口２２の後側且つ機能部ユニット１６におけるケース１８の内部に設けられた容器状の引出ケースで、この引出ケース８８内部の収納室９０に、引出容器８６が前後に出し入れ可能、詳しくはスライド可能に保持されている。
引出容器８６は上面が開放形状を成しており、また前端部に補給口２２を閉鎖する蓋体を兼ねた取手１１８を有している。
【００３３】
また引出ケース８８内部に入り込んだ後端部にガイド部１０４を有しており、このガイド部１０４が、引出ケース８８の内面を、図３中左右方向に摺動可能とされている。即ちガイド部１０４によって引出容器８６の出し入れの際の案内が行われる。
尚、引出容器８６の後端は開放形状とされており、上面の開放部から注入された石鹸液がその後端の開放部から引出ケース８８内部に流出する。
【００３４】
補給部１０２における引出ケース８８の底部には一対の継手部１０３が一体に形成されており、その一方に上記の補給管６６の上端部が接続され、また他方にエア抜管１３６の上端部が接続されている。
引出ケース８８内部には、このエア抜管１３６に連通した筒体１０６が起立状態に設けられており、エア抜管１３６を通じて抜き出されたエアが、この筒体１０６の上端を通じて引出ケース８８内に抜き出されるようになっている。
尚この筒体１０６は、エア抜管１３６の一部として考えることもできる。
【００３５】
上記石鹸液タンク６０には、タンク本体から上向きに起立した円筒状の接続部１１０が設けられており、この接続部１１０に対してエア抜管１３６の下端部が接続されている。
詳しくは、この接続部１１０の上壁には開口１１２が設けられていて、この開口１１２から円筒状の継手部１１４が立ち上がっており、その継手部１１４に対しエア抜管１３６の本体を成す本体管１１６が接続されている。
この実施形態において、エア抜管１３６はこの本体管１１６と継手部１１４にて構成されている。
【００３６】
一方補給管６６は、上部の本体管１２０，石鹸液タンク６０の内部に挿入された可撓性のホースから成る下部１２２及び接続部１１０に一体に形成されてそれら上部の本体管１２０と石鹸液タンク６０内部の下部１２２とを接続する継手部１２４とで構成されている。
ここで継手部１２４は、図４（Ａ）に示しているように接続部１１０から外部に上向きに突出した部分に対して、内部に下向きに突出した部分の内径が小径とされており、それらの間に段違部が形成されている。
この段違部は、補給管６６の途中箇所に設けられた絞り部１２６を成している。即ち補給管６６内部の補給路を部分的に狭小化する絞り部１２６を形成している。
補給管６６における石鹸液タンク６０内部の下部１２２もまた、上部の本体管１２０に対し内径が小径とされている。詳しくはこの下部１２２の内径は、継手部１２４の絞り部１２６より下側即ち下流側の内径とほぼ同径とされている。
【００３７】
補給管６６における可撓性ホースから成る下部１２２は、その下端部１２８が石鹸液タンク６０の底面１３０に接し且つ底面１３０に沿って横向きに曲っており、その先端の開口から成る下部流出孔１３２が、石鹸液タンク６０内部において横向きをなしている。
この下部１２２にはまた、第２の流出孔である上部流出孔１３４が、下部１２２を内外に貫通する形態で設けられている。
これら下部流出孔１３２及び上部流出孔１３４は、何れも補給管６６を通じて送られてきた石鹸液を石鹸液タンク６０内に流出するものである。
【００３８】
ここで上部流出孔１３４は、石鹸液タンク６０内部における石鹸液の設定満水位の高さ位置に設けられている。
尚石鹸液タンク６０には、フロートスイッチ１３８が設けられている。
このフロートスイッチ１３８は、石鹸液タンク６０内部の石鹸液の残量が一定以下になったときに、これを検知するためのものである。
【００３９】
次に本実施形態の作用を図４〜図６に基づいて説明する。
本実施形態において、石鹸液タンク６０に石鹸液を補給するには、図３に示しているように引出容器８６を手前に引いてこれを引出ケース８８から引き出した状態とする。
そしてその引出容器８６の上面の開放部から石鹸液を引出容器８６内部に注入し、これを補給口２２を通過して引出ケース８８内部に流入させる。
【００４０】
引出ケース８８内部に流入した石鹸液は補給管６６内部を流下し、そして図４に示しているように石鹸液タンク６０内部に挿入された下部１２２の先端の下部流出孔１３２から底面１３０に沿って石鹸液タンク６０内部に横向きに流出する。
この下部流出孔１３２からの石鹸液の流出によって石鹸液タンク６０内部の石鹸液は次第に溜まっていき、その水位も漸次上昇して行く。
その上昇につれて、石鹸液タンク６０内部の石鹸液中に浸漬した下部流出孔１３２からの石鹸液の流出に対する抵抗が次第に大きくなる。
そしてその抵抗がある大きさになると上部流出孔１３４から石鹸液が石鹸液タンク６０内に流出するようになる。図５はこのときの状態を表している。
【００４１】
而して上部流出孔１３４から流出した石鹸液は下部１２２の外周面を伝って流下し、そして石鹸液タンク６０内に溜まった石鹸液中に静かに流入して行く。
即ちこの状態において、上方から補給された石鹸液は下部流出孔１３２と上部流出孔１３４の両方とから石鹸液タンク６０内部に補給される。
【００４２】
そして図６に示しているように石鹸液タンク６０内部に溜まった石鹸液の水位が設定満水位に達すると、即ちその水位が上部流出孔１３４の位置に至ると、ここにおいて上部流出孔１３４からの石鹸液の流出に対する抵抗が急激に大きくなって、引出容器８６内部の石鹸液の減少速度が急激に遅くなる。
またこのとき、石鹸液タンク６０内部に生じた多少の泡が、石鹸液タンク６０内の満水に伴ってエア抜管１３６を通じ石鹸液タンク６０から上方に抜け出し、上方の補給部１０２の引出ケース８８内に、更には引出容器８６内に溢れ出す。
そして使用者はこの２つの現象、即ち引出容器８６内の石鹸液の減少速度の急激な低下、及びそこに泡が溢れてくることをもって、石鹸液タンク６０内部が満水に達したことを知ることができる。
【００４３】
尚この実施形態では、上方の補給部１０２から補給された石鹸液が補給管６６内を流下する際、内径の大きい本体管１２０の内部では図４（Ａ）の部分拡大図に示しているように本体管１２０の内部に充満しない状態で本体管１２０の内面に沿って流下し、従って本体管１２０の内部には石鹸液と空気の両層が存在している。
【００４４】
ところがこの補給管６６には途中箇所に流路を狭小化している絞り部１２６が設けられているため、流下した石鹸液はその絞り部１２６の絞り作用によって流下量が制限され、その結果、この絞り部１２６の上の部分で石鹸液の液溜りが生ずる。
またこの絞り部１２６よりも下側の部分では、詳しくは補給管６６における下部１２２の部分ではその内部に石鹸液が充満した状態となる。
即ち石鹸液は、この下部１２２を通じて流下する際に下部１２２の内部に充満した状態で流下し、先端の下部流出孔１３２から石鹸液タンク６０内部に流出する。
【００４５】
即ち上記絞り部１２６で石鹸液と空気とが気液分離され、液体である石鹸液だけが補給管６６の下部１２２を流通して石鹸液タンク６０内部に流出する。
従って補給管６６から石鹸液が石鹸液タンク６０内に流出するときに泡立ちを生じず、従って石鹸液タンク６０内において泡の発生が効果的に抑制される。
【００４６】
以上のような本実施形態によれば、下部流出孔１３２からだけ石鹸液を石鹸液タンク６０内に補給する場合に比べて、石鹸液の補給速度を高めることができ、石鹸液の補給作業に要する時間を短縮化することができる。
また泡の生成による石鹸液の補給速度の低下の問題を回避するために石鹸液タンク６０を過剰に大容量化する必要も無く、石鹸液タンク６０を小型且つコンパクト化することができる。
【００４７】
また本実施形態では上部流出孔１３４を石鹸液タンク６０内の石鹸液の設定満水位の位置に設けてあるため、石鹸液タンク６０内部で石鹸液の水位が上部流出孔１３４に至ると、そこで石鹸液の補給速度が急激に遅くなることから、またそのときに泡が補給口２２に溢れ出すことから使用者はこのことをもって石鹸液タンク６０内が満水状態となったことを容易に知ることができる。
【００４８】
以上本発明の実施形態を詳述したが、これはあくまで一例示である。
例えば上記実施形態では上部流出孔１３４から流出した石鹸液を下部１２２の外周面に沿って流下させるようになしているが、場合によって上部流出孔１３４の位置や向き等を適宜変更することによって、図７に示しているように上部流出孔１３４から流出した石鹸液を石鹸液タンク６０の内壁面に沿って流下させるようになすこともできる。
【００４９】
その他本発明は自動手洗乾燥装置の一部としてでなく、単独の装置として設けられる石鹸液の吐出装置における補給装置に適用することも可能であるなど、本発明はその趣旨を逸脱しない範囲において種々変更を加えた形態で構成可能である。
【図面の簡単な説明】
【００５０】
【図１】本発明の一実施形態の石鹸液の補給装置を含む自動手洗乾燥装置を示す全体図である。
【図２】図１の自動手洗乾燥装置の上蓋を外した状態の上面図である。
【図３】同実施形態の石鹸液の補給装置を拡大して示す断面図である。
【図４】同実施形態の作用説明図である。
【図５】図４に続く作用説明図である。
【図６】図５に続く作用説明図である。
【図７】本発明の他の実施形態の図である。
【符号の説明】
【００５１】
６０  石鹸液タンク
６６  補給管
１００  補給装置
１０２  補給部
１２６  絞り部
１２８  下端部
１３０  底面
１３２  下部流出孔
１３４  上部流出孔
１３６  エア抜管
【図１】
0004694987.tif 000002
【図２】
0004694987.tif 000003
【図３】
0004694987.tif 000004
【図４】
0004694987.tif 000005
【図５】
0004694987.tif 000006
【図６】
0004694987.tif 000007
【図７】
0004694987.tif 000008